(57)【要約】【課題】簡単な構成で嵩張らず携帯性に優れ、しかも加圧気体発生源との分解及び組立ての容易な、加圧気体のみで作動する気泡体生成拡散装置を提供する。【解決手段】気泡体生成拡散装置は、下端部が加圧気体供給源５０に接続される流路管１０から分岐する中空軸部２５に対して直交方向に伸びる回転可能なアーム部２１を有するスプリンクラー式ノズル２０と、アーム部の両方の先端部に各々取着された液膜生成手段２２と、液膜生成手段全体を浸漬可能に界面活性剤を含む溶液４１を満たした受皿状の液体容器４０と、同じく流路管１０に接続されかつ先端にオリフィス開口３１を備えた吹出しノズル３０とから成る。液膜生成手段が液体内に浸漬されかつ通過することによって形成された液膜ａに向けて吹出しノズルから噴出する加圧気体を吹き付けて球状気泡体ｂを生成して外界に拡散する。【選択図】    図１
2004194892.tif 000002
【特許請求の範囲】
【請求項１】
下端部を加圧気体供給源に着脱可能に接続された１本の流路管と、該流路管から半径方向に分岐した中空軸部と該中空軸部の先端に直交方向に取付けられると共に両端に回転駆動のためのオリフィス開口を備えたアーム部とから成るスプリンクラー式ノズルと、該アーム部の先端部に各々取着された液膜生成手段と、該液膜生成手段全体を浸漬可能に界面活性剤を含有する溶液を満たした受皿状の液体容器と、同じく前記流路管に接続されかつ先端にオリフィス開口を備えた吹出しノズルとから成る気泡体生成拡散装置において、
前記液膜生成手段が、少なくとも１つの環状体で構成されており、
前記スプリンクラー式ノズルの中空軸部が、前記吹出しノズルより上流で前記流路管から分岐しており、
更に、前記液体容器と前記吹出しノズルのオリフィス開口が、前記液膜生成手段の回転軌跡に整合するように位置付けられていることを特徴とする気泡体生成拡散装置。
【請求項２】
前記加圧気体供給源からの圧力を安定化するための圧力調整器が、前記流路の上流に配設されていることを特徴とする請求項１に記載の気泡体生成拡散装置。
【請求項３】
前記加圧気体供給源が、ノズルステムを備えたスプレー容器であって、前記スプリンクラー式ノズルを駆動すると共に前記吹出しノズルから噴出する加圧気体が、該スプレー容器内に充填された液化ガスの気相体であることを特徴とする請求項１又は２に記載の気泡体生成拡散装置。
【請求項４】
前記スプレー容器がキャップを被冠されており、該キャップが前記液体容器及び該容器に溶液を連続的に補充するための補助容器をその周縁部に備えていることを特徴とする請求項３記載の気泡体生成拡散装置。
【請求項５】
前記スプレー容器が、前記ノズルステムを制御するための枢動可能なトリガレバーを備えており、
該トリガレバーの一端が押動可能な操作部を形成し、
その中間部が、その上面において前記流路管の下端部を嵌挿することにより該流路管をスプレー容器に対し固定しており、
他方、その下面において前記ノズルステムの先端を揺動可能に嵌挿することによりノズルステムと前記流路管とを接続しており、
さらに、その他端が前記キャップ内面に枢動可能に支承されており、
該トリガレバーを下方に向けて押圧することにより前記ステムが押し下げられ、前記スプレー容器内部に充填された液化ガスを前記ステムから前記流路管を介してスプリンクラー式ノズル及び吹出しノズルに供給するように成したことを特徴とする請求項３又は４に記載の気泡体生成拡散装置。
【請求項６】
前記トリガレバーの操作部、前記スプリンクラー式ノズルのアーム部及び吹出しノズルのオリフィス開口が、共に半径方向外方に伸びる垂直平面上に位置しかつ前記キャップから突出していることを特徴とする請求項５に記載された気泡体生成拡散装置。
【請求項７】
前記加圧気体供給源が、エアガンに接続された圧力調整器を内蔵しているエアコンプレッサであることを特徴とする請求項１に記載された気泡体生成拡散装置。
【請求項８】
前記エアガンが、その銃口に前記流路管を直接接続しており、前記液体容器が、前記スプリンクラー式ノズルの中空軸部に直接取着されており、更に、前記液体容器に溶液を補充するための補助容器が、エアガンに取着されていると共に可撓管を介して該液体容器に接続されていることを特徴とする請求項７に記載された気泡体生成拡散装置。
【発明の詳細な説明】
【０００１】
【発明の属する技術分野】
本発明は、石鹸液の如き界面活性剤を含む溶液から球状の気泡体を連続的に多数生成しかつ拡散するための気泡体生成拡散装置に関する。
【０００２】
【従来の技術】
従来より、球状の気泡体、所謂「シャボン玉」を連続して多量に生成しかつ拡散するこのような装置として、一定の液槽に、シャボン玉液の液面と接触するように、円錐状の回転体を上円部が液面と直角に位置させると共に、この上円部に形成した長方形の孔状部を液面と水平に接触させて該孔状部にシャボン玉液を捕捉させ、他方、回転体の円錐状の底部（錘芯）に動力部のシャフトを接続し、このシャフトを回転させて回転体を回転させる一方、上円部の上方に位置する孔状部に向けて開口する空気流入用のパイプをその内側に回転体の軸線に沿って移動可能に配設し、このパイプ内に外部から空気を送り込んで孔状部に捕捉されたシャボン玉液に前記開口から吹出された空気に晒すことによりシャボン玉を形成すると共に外部に拡散させるシャボン玉発生装置が提案されている（例えば、特許文献１参照）。
【０００３】
また、ファンを内蔵したエア送風機の送風路の先端に、仕切り板で画成されたシャボン玉発生室と、その上部に連通管を介して該発生室と接続されたシャボン玉液の入ったタンクとから構成されたシャボン玉発生機構を、前記シャボン玉発生室と一体的に設けたシャボン玉発生器が提案されている（例えば、特許文献２参照）。
【０００４】
【特許文献１】
特許公開平６−８６８７１号公報（第２−３頁、第１図）
【特許文献２】
特許公開平９−２８９３９号公報（第２−３頁、第２図）
【０００５】
【発明が解決しようとする課題】
しかしながら、このようなシャボン玉発生器は、何れもモータ駆動の回転ブロワによってシャボン玉を生成しかつ連続生成のためにモータ駆動による回転機構を使用すると言った形式のものであるので、複雑な機構を有すると同時に、重くかつ嵩張るものとなっている。かかる事実の背景としては、これらの装置が何れも極めて多量かつ連続的にシャボン玉の発生を必要とする、例えば、街頭での宣伝活動、映画や演劇、テレビ撮影の演出効果に利用すると言った用途上の特異性に起因するものと考えられる。
【０００６】
かかる大掛かりでかつ複雑な装置は、個人が各種の薬剤或いは芳香剤等の局部的散布を随時行うことはほぼ不可能であり、小型で軽く携帯可能な、また同時に加圧気体のみで生成されるシャボン玉発生器の出現は待望されていた。そこで、本発明は、簡単な構成で嵩張らず携帯性に優れ、しかも加圧気体供給源との分解及び組立ての容易な、加圧気体のみで作動する気泡体、即ち「シャボン玉」生成拡散装置を提供することを目的とするものである。
【０００７】
【課題を解決するための手段】
上記した目的は、請求項１に記載された本発明によれば、下端部を加圧気体供給源に着脱可能に接続された１本の流路管と、該流路管から半径方向に分岐した中空軸部と該中空軸部の先端に直交方向に取付けられると共に両端に回転駆動のためのオリフィス開口を備えたアーム部とから成るスプリンクラー式ノズルと、該アーム部の先端部に各々取着された液膜生成手段と、該液膜生成手段全体を浸漬可能に界面活性剤を含有する溶液を満たした受皿状の液体容器と、前記流路管に接続されかつ先端にオリフィス開口を備えた吹出しノズルとから成る気泡体生成拡散装置において、前記液膜生成手段が、少なくとも１つの環状体で構成されており、前記スプリンクラー式ノズルの中空軸部が、前記吹出しノズルより上流で前記流路管から分岐しており、前記液体容器と前記吹出しノズルのオリフィス開口が、前記液膜生成手段の回転軌跡に整合するように位置付けられていることを特徴とする気泡体生成拡散装置によって達成される。
【０００８】
請求項１に記載の本発明による気泡体生成拡散装置によれば、スプリンクラー式ノズルは、そのアーム部の各端部の対向側面に各々回転方向とは反対方向に向けてオリフィス開口が穿設されており、これらの開口から加圧気体が噴射されて、アーム部はスプリンクラーの如く回転する。その結果、アーム部の両方の先端部に取着された少なくとも１つの環状体で構成された液膜生成手段も同様に回転運動し、界面活性剤を含む溶液を収容した液体容器内に全体的に浸漬されかつ通過し、液膜生成手段に液膜が形成される。次いでこの液膜生成手段を回転し、その回転軌跡上に位置付けられた吹出しノズルのオリフィス開口に向き合う位置に持ち来される。そこで加圧気体供給源からの気体をオリフィス開口から吹き付けて液膜を球状の気泡体、即ち「シャボン玉」にして外界に拡散するものである。従って、かかる構成を備えた気泡体生成拡散装置は、何ら電気的駆動手段を用いず全て加圧気体のみで作動している。
【０００９】
また、回転するアーム部の各先端部に取着された液膜生成手段は、通常１つの環状体で形成されているが、例えば一度に多数の気泡体を生成するために、多数の孔を穿設されたハニカム状の多孔板、網目板或いは網片で構成される事も可能である。これと同時に、アーム部も２本以上にすることも可能であり、例えば４本にして、ハニカム状の網目板を液膜生成手段として採用することにより、極めて多数の気泡体を連続的に生成することが可能となる。また、スプリンクラー式ノズルの中空軸部が吹出しノズルより上流で流路管から分岐していることによって、多量の加圧気体がスプリンクラー式ノズルへ分配されるので、大きな負荷のかかるアーム部に必要な大きな回転駆動力を与えることが可能となる。かかる分配状態は吹出しノズルのオリフィス径に依存することは明らかである。また、本発明による気泡体生成拡散装置が、流路管の下端部と加圧気体発生源とが着脱可能と成っているので、分解及び組立てが容易であり、従って、携帯性に優れている。
【００１０】
請求項２に記載の本発明による気泡体生成拡散装置は、前記加圧気体供給源からの圧力を安定化するための圧力調整器が、前記流路の上流に配設されている。かかる構成により、スプリンクラー式ノズルの回転速度及び吹出しノズルの吐出圧が加圧気体供給源からの吐出圧力の変動に左右されなくなるので装置の安定した運転特性が得られる。
【００１１】
請求項３に記載の本発明による気泡体生成拡散装置は、前記加圧気体供給源が、ノズルステムを備えたスプレー容器であって、前記スプリンクラー式ノズルを駆動すると共に前記吹出しノズルから噴出する加圧気体が、該スプレー容器内に充填された液化ガスの気相体である。かかる構成により、スプレー容器のステムを流路管の下端部（入口端）に接続し、ノズルステムを降下させることにより、スプレー容器内に充填されている液化ガスが流路管を介してスプリンクラー式ノズル及び吹出しノズルに分配され、オリフィス開口を介して外界に噴射される際に気相体となって圧力気体を生成する。加圧気体供給源として、スプレー容器に封入された液化ガスを使用することによって、個人が手軽に本発明による気泡体生成拡散装置を使用することが可能であり、また、流路管との接続及び取り外しも極めて容易であるので、嵩張らないので携行性に優れている。
【００１２】
請求項４に記載された本発明による気泡体生成拡散装置は、前記スプレー容器がキャップを被冠されており、該キャップが前記液体容器及び該容器に溶液を連続的に補充するための補助容器をその周縁部に備えていることを特徴としている。かかる構成により、液膜生成手段により定量的に持ち出される液体容器内の溶液は常に外部から補充されることが可能となり、依って、液膜生成手段は常に液体容器内の溶液に全体的に浸漬され、従って、連続的に安定した液膜生成が可能となる。
【００１３】
請求項５に記載の本発明による気泡体生成拡散装置は、前記スプレー容器が、前記ノズルステムを制御するための枢動可能なトリガレバーを備えており、該トリガレバーの一端が押動可能な操作部を形成し、その中間部が、その上面において前記流路管の下端部を嵌挿することにより該流路管をスプレー容器に対して固定しており、他方、その下面において前記ノズルステムの先端を揺動可能に嵌挿することによりノズルステムと前記流路管とを接続しており、さらに、その他端が前記キャップ内面に枢動可能に支承されており、該トリガレバーを下方に向けて押圧することにより前記ステムが押し下げられ、前記スプレー容器内部に充填された液化ガスを前記ステムから前記流路管を介してスプリンクラー式ノズル及び吹出しノズルに供給するように成したことを特徴としている。かかる構成により、流路管とトリガレバーは一体化されてスプレー容器のノズルステムに取着されることとなる。
【００１４】
かかる構成は、スプレー容器のような加圧気体供給源を本発明による気泡体生成拡散装置とは完全に独立した交換可能な単体部材とすることを意味している。かかるトリガレバーは梃子の原理によって機能し、操作部は「力点」に相当し、中間部は「作用点」に相当し、他端は「支点」に相当する。依って、トリガレバーの操作部を押圧することによりノズルステムが押し下げられ。その内部に充填された液化ガスがノズルステムから流路管を介してスプリンクラー式ノズル及び吹出しノズルに気相体となって供給されることとなる。
【００１５】
請求項６に記載の本発明による気泡体生成拡散装置は、前記トリガレバーの操作部、前記スプリンクラー式ノズルのアーム部及び吹出しノズルのオリフィス開口が、共に半径方向外方に伸びる垂直平面上に位置しかつ前記キャップから突出している。かかる構成により、気泡体の拡散方向とトリガレバーの作動方向とが同一の垂直な半径方向平面上に位置することとなり、言わばピストルを操作する時のように、目標を定めて引き金を引く格好となり、本装置の使い勝手が良好となる。
【００１６】
請求項７に記載の本発明による気泡体生成拡散装置は、前記加圧気体供給源が、エアガンに接続された圧力調整器を内蔵しているエアコンプレッサであることを特徴としている。かかる構成を有する請求項７に記載された本発明による気泡体生成拡散装置は、加圧気体供給源を通常は圧力調整器を内蔵しているエアコンプレッサとすることで、本発明による気泡体生成拡散装置の構成は簡素化され、僅かな費用で製造することが可能となり、同時に長時間の安定した使用が可能となるので、従来技術に見られるような業務用としての用途も開ける。
【００１７】
請求項８に記載の本発明による気泡体生成拡散装置は、前記エアガンが、その銃口に前記流路管が直接接続しており、前記液体容器が、前記スプリンクラー式ノズルの中空軸部に直接取着されており、更に、前記液体容器に溶液を補充するための補助容器が、エアガンに取着されていると共に可撓管を介して該液体容器に接続されている。かかる請求項８に記載の構成により、流路管、スプリンクラー式ノズル、吹出しノズル及び液体容器は１つのノズルユニットとして流路管を介してエアガンの銃口に接続され、さらに補助容器のみがエアガンに取着されることで、構成が飛躍的に簡素化されかつ製造も容易となる。エアガン側に補助容器のみを取着したことにより、補助容器の容量を大きくすることが可能となり、従って、更に長時間かつ大量の気泡体の生成が可能となる。
【００１８】
以下、本発明による気泡体生成拡散装置の第１及び第２の実施例を図面に基づいて詳細に説明する。
【００１９】
【発明の実施の形態】
図１は本発明の第１実施例による気泡体生成拡散装置の斜視図、図２は、図１に示した気泡体生成拡散装置の要部縦断面図、図３は本発明による気泡体生成拡散装置の第２の実施例の説明図である。
【００２０】
図１及び２を参照すると、本発明による気泡体生成拡散装置１は、１本の流路管１０から分岐する中空軸部２５とその先端において垂直にその中央部分が取着されかつ両端にオリフィス開口２３を備えた回転可能なアーム部２１とから構成される回転するＴ字形のスプリンクラー式ノズル２０を備えている。このアーム部２１の両方の先端部には少なくとも１つの環状体２４で構成されている液膜生成手段２２が取着されている。オリフィス開口２３は、アーム部２１の両方の先端部の対向側面に穿設されかつアーム部の回転方向とは反対方向に向けて開口している。また、流路管１０からスプリンクラー式ノズルの中空軸部２５の分岐部分から上方に離間しかつ中空軸部２５と平行に環状体２４に向けて伸びる吹出しノズル３０が分岐している。
【００２１】
液膜形成手段２２の環状体２４は液膜ａを形成するために、環状体２４は受皿状の液体容器４０の内部に満たされた界面活性剤等の液膜及び気泡体形成物質の混ざった溶液４１の中に全体的に浸漬されかつ回転しながら順次通過する。このことに依って環状体２４の各々には液膜ａが形成される。その後、液膜ａは液膜生成手段２２の回転運動により吹出しノズル３０に向き合う回転軌跡上の位置に持ち来たされる。そこで液膜ａは吹出しノズル３０により液化ガスが充填されたスプレー容器５１で構成された加圧気体供給源５０のノズルステム５２を介して流路管１０へ送られた液化ガスが気相ガスに変化して吹き付けられ、液膜ａは球状の気泡体ｂ、即ち「シャボン玉」となって外界に拡散される。
【００２２】
かかる構成において、本発明による気泡体生成拡散装置１の液体容器４０を除く大半の部分と、トリガレバー６０の中間部６１に着脱可能に接続された流路管１０と接続してこれら各ノズル２０，３０にノズルステム５２を介して液化ガスを送り込む加圧気体供給源５０とは機構的に完全に分離可能な状態で独立している。また、この加圧気体供給源５０の一部として構成されたキャップ７０を支持部材として液体容器４０を回転可能な液膜生成手段２２との回転軌跡に整合する関係位置に持ち来たすように配設することで装置全体が完成する。
【００２３】
従って、使用の際は、気泡体生成拡散装置１と一体的に携行可能な小型ガスボンベや後述するコンプレッサに接続された小型エアガンの如き加圧気体供給源５０に流路管１０を接続すると同時に、これら加圧気体供給源にキャップ７０等の支持部材を介して配置された液体容器４０に所望の溶液４１を注入することで、使用準備は完了する。
【００２４】
また、上記した本発明による気泡体生成拡散装置１において、回転するスプリンクラー式ノズル２０のアーム部２１或いは上下動可能な流路管部分１０から液体容器４０を例えばキャップ７０のような、完全に独立した別個の支持部分に配置することは、装置全体を小型化或いはユニット化して携行可能と成すことを意味する。また、使用者に危害が及ぶような、例えば殺虫剤、消毒液等の溶液をシャボン玉にして散布する場合には、液体容器４０を上記した如く加圧気体供給源側に配設することで安全に取り扱うことが可能となり、かかる装置の汎用性を拡大することとなる。
【００２５】
さらに、図２に示された本発明による気泡体生成拡散装置１において、加圧気体供給源５０を構成するスプレー容器５１からの噴出圧力を安定化するために、圧力調整器１００が流路管１０の上流の下方位置、即ち、スプレー容器５１の内部ではあるが、実質的にはノズルステム５２の下端に配設されている。このように加圧気体流路の供給圧力を安定化するように調整することにより、アーム部２１の回転速度及び吹出しノズル３０の吐出圧が加圧気体供給源５０からの吐出圧力の変動に左右されなくなるので装置の安定した動作特性が得られることは明らかである。
【００２６】
更に、図２に示された気泡体生成拡散装置１は、支持部材を構成するキャップ７０の周縁部分に取付けられた液体容器４０は、同じくキャップ後方の周縁部分に形成された凹陥部７１に嵌挿された溶液補充用の補助容器８０にキャップ７０の内部を横断する可撓管８１を介して接続されている。かかる構成によって、液膜生成手段２２により液体容器４０から定量的に持ち出される溶液４１は、常に外部の補助容器８０から補充され、液膜生成手段２２は常に溶液４１に全体的に浸漬されるので、連続的に安定した液膜生成が可能となる。
【００２７】
更に、本発明による気泡体生成拡散装置１において、スプリンクラー式ノズル２０の中空軸部２５は、流路管１０の吹出しノズル３０が分岐する位置よりも上流部分において分岐している。双方のノズルをこのような位置関係に設定した意味は、先端部分に穿設された２つのオリフィス開口２３，２３を備えたスプリンクラー式ノズル２０のアーム部２１を回転駆動するためには大きなトルクが必要であり、従って多くの流量の加圧気体が必要とされる。他方、吹出しノズル３０は気体噴流を液膜ａに吹き付けて気泡体ｂを生成させるのみであるので、小径のオリフィス開口３１を形成することで済み、僅かな流量の加圧気体しか必要としない。
【００２８】
このように、スプリンクラー式ノズル２０には負荷のかかるアーム部２１を円滑に回転駆動するのに十分な流量の加圧気体が中空軸部２５を介して分配される一方、他方において、吹出しノズル３０には少ない流量の加圧気体が分配されると言う流路管１０の作用は、実質的には先端に細い孔の開いた管の途中に広めの孔が穿設された一本の管体に集約して考えられる。従って、これらの流量比率は吹出しノズル３０のオリフィス開口３１の径を適度に調整及び設定することで制御することが可能である。
【００２９】
ところで、キャップ７０は、半球状のスカート部７２をスプレー容器５１の上端外周縁部５５に嵌着させると同時に及び中央突出部分の目金板５３を容器上蓋に密封固定している環状リム５４の内周部分に嵌め込むことでスプレー容器５１に固定される。キャップ７０に対する液体容器４０の取付け位置は、スプリンクラー式ノズル２０の回転するアーム部２１の先端部に取着された液膜生成手段２２は全体的に溶液中４１に浸漬されるような回転軌跡と整合する位置に固定されなければならない。また、液体容器４０の底部は回転する環状体２４の外周縁部の軌跡に沿って半円状に湾曲している。従って、液体容器４０は正面から見ると半月状となっている。
【００３０】
本発明による気泡体生成拡散装置１と、上記した構成を備えたスプレー容器と一体化した構成により、通常のスプレー容器と同様な全体的にコンパクトな構成とすることが可能となり、何時でも何処へでも携行可能な使い勝手の良好な装置を得ることが可能である。なお、スプレー容器５１を交換する場合もしくは長期に亘って使用しない場合は、スプレー容器５１とキャップ７０によって集約された気泡体生成拡散装置１とをキャップ７０をスプレー容器５１から取り外すと同時にトリガレバー６０の中間部６１からノズルステム５２を引き抜くことで分解され、かつ分離して収納することも可能であり、従って収納スペースを節約できると言った利点も生ずる。
【００３１】
図２から明らかなように、ノズルステム５２はスプレー容器５１に対して「梃子の原理」によって作動する枢動可能なトリガレバー６０により制御され、その中間部６１は「作用点」を形成しておりかつ上面において流路管１０の下端部をかつ下面においてノズルステム５２の先端を各々嵌挿されている。そして、トリガレバー６０の一端は「力点」を形成すると共に押動可能な操作部６２を形成しており、さらに他端６３は「支点」を形成しており、キャップ７０の内面に突設された互いに対向する１対の突起７３によって枢動可能に支承されている。
【００３２】
従って、トリガレバー６０の中間部６１はノズルステム５２の先端に対して僅かに下方に向けて開いた傾斜溝孔６４内に嵌挿されていることによって、押動操作によってノズルステム５２に大きな曲げ応力が加わることを回避している。下方に向けて操作部６２を押圧することによりノズルステム５２は押し下げられ、その内部に充填された液化ガスはノズルステム５２から流路管１０を介してスプリンクラー式ノズル２０及び吹出しノズル３０に供給される。
【００３３】
さらに図２に示されているように、トリガレバー６０の操作部６２はスプリンクラー式ノズル２０のアーム部２１及び吹出しノズルのオリフィス開口３１と共に半径方向外方に伸びる垂直平面上に位置しかつキャップ７０から突出している。かかる構成により、気泡体ｂの拡散方向とトリガレバー６０の作動方向とが一致し、かかる気泡体生成拡散装置の使用状態は、ピストルを操作する時のように目標に向けて引き金を引く格好となり、本装置の使い勝手を良好なものとする。
【００３４】
本発明による気泡体生成拡散装置の第２の実施例が図３に示されている。この例において加圧気体供給源５０はスプレー容器に代えてエアガン１１１に接続管１１２を介して接続されたエアコンプレッサ１１０となっている。かかる構成により、加圧気体供給源５０はエアコンプレッサ１１０により生成される圧縮空気となるので、使用者にとっては極めて経済的に有利であり、同時に製造上も流路管にスプレー容器に代えてエアガン１１１の銃口１１２に流路管１０を接続するだけで良くなり同時にキャップも省略可能となる。従って、極めて簡素な機構で構成することが可能となる。
【００３５】
さらに、この実施例の特徴的な構成によると、エアガン１１１には補助容器８０が取着されており、液体容器４０は直接流路管１０に取着されている。従って、流路管１０、スプリンクラー式ノズル２０、吹出しノズル３０及び液体容器４０は１つのノズルユニットを構成すると共に本発明による気泡体生成拡散装置１の主要構成要素を形成している。そして、このノズルユニットは、流路管１０、スプリンクラー式ノズル２０、吹出しノズル３０及び液体容器４０を１つのノズルユニットとして、直接流路管１０を介してエアガン１１１の銃口１１２に接続され、さらに補助容器８０のみがエアガン１１１に取着され、さらに、補助容器８０から伸びる管８１がエアガンから液体容器４０に接続される。
【００３６】
エアガン側に補助容器８０のみを取着したことにより、その容量を大きくすることが可能となり、従って、長時間かつ大量の気泡体の生成が可能となると同時に装置の全体構成が飛躍的に簡素化されかつ製造も容易となる。なお、エアコンプレッサには第１実施例において符号１００で示される圧力調整器が通常内装されているので、ここでは図示していない。
【００３７】
【発明の効果】
本発明の気泡体生成拡散装置は、下端部を着脱可能に加圧気体供給源に接続された１本の流路管と、該流路管から半径方向に分岐した中空軸部と該中空軸部の先端に直交方向に取付けられると共に両端に回転駆動のためのオリフィス開口を備えたアーム部とから成るスプリンクラー式ノズルと、該アーム部の先端部に各々取着された液膜生成手段と、該液膜生成手段全体を浸漬可能に界面活性剤を含有する溶液を満たした受皿状の液体容器と、前記流路管に接続されかつ先端にオリフィス開口を備えた吹出しノズルとから成る気泡体生成拡散装置において、前記液膜生成手段が、少なくとも１つの環状体で構成されており、前記スプリンクラー式ノズルの中空軸部が、前記吹出しノズルより上流で前記流路管から分岐しており、前記液体容器と前記吹出しノズルのオリフィス開口が、前記液膜生成手段の回転軌跡に整合するように位置付けられている構成としたので、スプリンクラー式ノズルが加圧気体のみで駆動されるので簡単な構成でしかも嵩張らず携帯性に優れており、気泡体発生機構と加圧気体発生源との組立て及び分解が容易となると言った効果が得られる。
【図面の簡単な説明】
【図１】本発明による気泡体生成拡散装置の斜視図である。
【図２】図１に示した気泡体生成拡散装置の要部縦断面図である。
【図３】図３は本発明の第２実施例による気泡体生成拡散装置の説明図である。
【符号の説明】
１    気泡体生成拡散装置
１０    流路管１０
２０    スプリンクラー式ノズル
２１    アーム部
２２    液膜生成手段
２３    オリフィス開口
２４    環状体
２５    中空軸部
３０    吹出しノズル
３１    オリフィス開口
４０    液体容器
４１    溶液
５０    加圧気体供給源
５１    スプレー容器
５２    ノズルステム
５３    目金板
５４    環状リム
５５    上端外周縁部
６０    トリガレバー
６１    中間部
６２    操作部
６３    他端
６４    傾斜溝孔
７０    キャップ
７１    凹陥部
７２    スカート部
８０    補助容器
８１    可撓管
１００    圧力調整器
１１０    エアコンプレッサ
１１１    エアガン
１１２    銃口
ａ    液膜
ｂ    気泡体
【図１】
2004194892.tif 000003
【図２】
2004194892.tif 000004
【図３】
2004194892.tif 000005